(57)【要約】【課題】クリップ本体の全体材料を減少させて製造費用を低めることができて、製作工数を減らして生産性を向上させることができて、かつ、書類の収納及び保管はもちろん、取っ手の着脱を容易にして使用上の便宜性を向上し得る事務用クリップを提供する。【解決手段】本発明に係る事務用クリップにおいては、中央を中心に折曲されて折曲部を成して両端がお互いに弾性的に当接している板材から成る本体と、該本体の両面にそれぞれ本体の外側方向に突出されて掛けがね形象を持つ２対の固定溝と、これら固定溝に着脱可能にピボット結合されるそれぞれ１対の挿入突起を持つ１対の取っ手と、を含むことを特徴とする。【選択図】図１
2006347157.tif 000002
【特許請求の範囲】
【請求項１】
中央を中心に折曲されて折曲部を成して両端がお互いに弾性的に当接している板材から成る本体と、
該本体の両面にそれぞれ本体の外側方向に突出されて掛けがね形象を持つ２対の固定溝と、
これら固定溝に着脱可能にピボット結合されるそれぞれ１対の挿入突起を持つ１対の取っ手と、を含むことを特徴とする事務用クリップ。
【請求項２】
前記本体のお互いに当接する前記両端は、相互面接触する縁部をさらに含むことを特徴とする請求項１記載の事務用クリップ。
【請求項３】
前記本体は、断面が五角形であることを特徴とする請求項１記載の事務用クリップ。
【発明の詳細な説明】
【技術分野】
【０００１】
本発明は、事務用クリップに係るもので、詳しくは、クリップ本体の全体材料を減少し得ることで、製造費用を低めることができて、製作工数を減らして生産性を向上させることができて、かつ、書類の収納及び保管はもちろん、取っ手の着脱が容易で、使用上の便宜性を向上し得る事務用クリップに関するものである。
【背景技術】
【０００２】
従来の事務用クリップにおいては、図５に示したように、断面がおおよそ二等辺三角形から成るクリップ本体１を備えて、該クリップ本体１の先端は、書類を把持するために前記クリップ本体１が持つ自体の弾力によって当接している。
前記本体１の先端には、取っ手５の両端に形成された挿入突起５a、５bが挿入される左/右側円筒部３a、３bが形成されて、これら左右側円筒部３a、３bの間には、これら左右側円筒部３a、３bに挿入された取っ手５の前記挿入突起５a、５bが前記左右側円筒部３a、３bから離脱されることを防止するための突出部３cが形成されている。該突出部３cは、前記左右側円筒部３a、３bから取っ手の前記挿入突起５a、５bの引き出しを容易にするようにおおよそ円筒形象を維持している。
【０００３】
このような従来のクリップは、書類にバインディングした後、前記取っ手５を前記クリップ本体１から分離させる。前記取っ手５を分離するために、先ず、前記取っ手５の下端を内側に押して前記左右側円筒部３a、３bから前記挿入突起５a、５bを引き出した状態で前記取っ手５を除去する。
ところが、このように構成された従来の事務用クリップは、前記取っ手５を前記本体１から分離する場合、前記左右側円筒部３a、３bから前記挿入突起５a、５bを引き出すために自体の弾力を持つ前記取っ手５を縮めるようになるが、この時、この縮める動作が前記突出部３cによって制限されるため、前記取っ手５を前記クリップ本体１の両面にそれぞれ接触させた状態で旋回させなければならなく、このように旋回させた状態では、前記取っ手５の中央部分が前記クリップ本体１の両面にそれぞれ密着された状態になる。
【０００４】
したがって、使用者は、前記取っ手の挿入突起５a、５bの反対側である前記取っ手５の先端を縮めなければならないが、前記挿入突起５a、５bに隣接した前記取っ手５の中央部や下部を縮めることよりさらに大きい力を要求し、前記取っ手５が自体の弾力を持っているため、分離作業が容易ではない。
【０００５】
したがって、使用者は、書類をバインディングした後、前記取っ手５を前記クリップ本体１から分離しなかったまま書類を保管するようになる場合が多くて、不必要な取っ手によって書類の保管及び収納時に他の書類にバインディングされた取っ手またはクリップ本体にひっかかるか、またはぶつかるようになるなど、使用上の不便をもたらした。
【０００６】
このような問題を解決するため、特許文献１には、クリップ本体から取っ手の脱着を容易にするために、図５に図示された突出部３cを除去したものが開示されている。
ところが、前記従来のクリップにおいては、前記取っ手５を固定するために、全て前記左右側円筒部３a、３bを備えているが、このような円筒部３a、３bを持つ事務用クリップで書類の最大量をバインディングする場合、図６に示したように、前記クリップ本体１の両面がほとんど水平状態になることで、前記円筒部３a、３bは、前記クリップ本体１の両面よりかなり高く突出する位置に突き出るようになる。
【特許文献１】特開平８−１３２７７５号公報
【発明の開示】
【発明が解決しようとする課題】
【０００７】
これによって水平状態で維持された前記クリップ本体１の両面よりもっと高く突出された前記円筒部３a、３bは、収納及び引き出しの時に一緒に収納された他の書類に把持されたクリップ本体１または書類にひっかかって収納/引き出しが不便で、かつ、前記突出された前記円筒部３a、３bが使用者の指などにひっかかって傷つくようになるなどの問題点があった。要するに、このような問題点は、取っ手をピボット結合するための円筒部が前記クリップ本体１の両面より高く突出されたことに起因する。
【０００８】
かつ、前記円筒部を形成するためには、ブランキングやカーリング加工などのような別途の加工工程が要求される。
一方、前記クリップ本体１は、一般的に高弾性の高炭素鋼を使用しているが、このような高炭素鋼は高価であるため、できることならクリップ本体の機能を充分に行いながらも同時に素材を節減し得る構造を採択することが好ましい。
【０００９】
したがって、本発明は、前記のような問題点に鑑みてなされたもので、クリップ本体の全体材料を減少させて製造費用を低めることができて、製作工数を減らして生産性を向上させることができて、かつ、書類の収納及び保管はもちろん、取っ手の着脱を容易にして使用上の便宜性を向上し得る事務用クリップを提供することを目的とする。
【課題を解決するための手段】
【００１０】
請求項１に係る発明である事務用クリップにおいては、中央を中心に折曲されて折曲部を成して両端がお互いに弾性的に当接している板材から成る本体と、該本体の両面にそれぞれ本体の外側方向に突出されて掛けがね形象を持つ２対の固定溝と、これら固定溝に着脱可能にピボット結合されるそれぞれ１対の挿入突起を持つ１対の取っ手と、を含むことを特徴とする。
【００１１】
請求項２に係る発明は、前記本体のお互いに当接する前記両端は、相互面接触する縁部をさらに含むことを特徴とする請求項１記載の事務用クリップであって、これによって書類を把持するクリップ本体の両端が突き出されないから、書類の収納及び保管がもっと容易になることができる。
【００１２】
請求項３に係る発明は、前記本体は、断面が五角形であることを特徴とする請求項１記載の事務用クリップである。
【発明の効果】
【００１３】
したがって、本発明によると、従来と異なって取っ手が把持される円筒部を除去しておおよそ円筒部の半径に該当する部分だけ原材料を節減することができてクリップ本体の全体の長さを減らした状態で生産が可能であるから、製造費用を大幅に低減し得るという効果がある。
また、簡単な構造を持ちながら製作工数を減らし得ることで、生産性を向上させることができて、かつ、書類の収納及び保管が容易で、取っ手の着脱を容易にして使用上の便宜性を増大し得るから、多数のクリップ本体に対して１対の取っ手のみをセットにして販売が可能であるから、全体的な購買費用を低減し得るという効果がある。
【発明を実施するための最良の形態】
【００１４】
以下、本発明の実施形態について図面を用いて説明する。
図１は、本発明に係る事務用クリップを示した斜視図で、図２は、図１に表示されたＡ−Ａ線に沿った断面図で、図３は、本発明に係る事務用クリップの他の例を示した側面図で、図４は、本発明に係る事務用クリップの使用状態図である。
【００１５】
先ず、本発明に係る事務用クリップにおいては、図１に示したように、中央を中心に折曲されて両端がお互いに弾力的に当接していて、前記両端から折曲部１２に至るほど大きい距離差を維持しているクリップ本体１０を備える。また、該本体１０は、従来と同一の高弾性の高炭素鋼の板材で製作した方がいい。
【００１６】
かつ、前記本体１０は、おおよそ断面が、図２に示したように、二等辺三角形を形成した方がいいが、図３に示したように、本体２０の折曲部を一方から見た時、断面が実質的に五角形になるように形成することも可能で、この場合には、書類の一端を前記本体２０の内側にもっと深く把持することができて、書類を安定的にバインディングし得るという利点がある。
【００１７】
また、前記本体１０の両面には、取っ手１５の挿入突起１５、１５bがそれぞれ着脱可能にピボット結合されるように、図１及び図２に示したように、前記本体１０の両面に外側方向に突出された掛けがね形象を持つ２対の固定溝１１a、１１bが形成される。
前記固定溝１１a、１１bは、主にクリップ本体１０の折曲部１２を中心に前記本体１０を折曲するバンディング加工の前にノッチング(notching)またはランシング(lancing)加工によって行われる。
この場合、前記固定溝１１a、１１bの間隔は、取っ手の挿入突起１５a、１５bが弾力的に結合し得るようにこれら挿入突起１５a、１５bの間隔より狭い間隔に設定することが好ましい。
【００１８】
一方、前記クリップ本体１０は、お互いに当接する両端に相互面接触する縁部１３a、１３bを所定角度で折曲形成することが好ましく、これによって前記本体１０の縁部１３a、１３bの間に書類をバインディングする場合、図４に示したように、おおよそ書類の接触面と水平状態に密着されることで、書類の表面に跡を残さないから、書類をきれいな状態で保管することができる。
【００１９】
このように構成された本発明に係る事務用クリップを利用して書類をバインディングする場合、前記取っ手１５を前記挿入突起１５a、１５bに挿入させた状態で１対の取っ手１５の上端を押して前記本体１０の縁部１３a、１３bを広げた後に書類をバインディングする。
その後、前記取っ手１５を前記本体１０から分離する場合には、従来の事務用クリップのように、前記取っ手１５を前記本体１０の両面に密着させる動作を行う必要がなく、何れかの角度でも前記取っ手１５の下端を押して前記挿入突起１５a、１５bを前記固定溝１１a、１１bから容易に引き出すことができる。
【００２０】
このように取っ手の着脱が容易である点を利用して多数のクリップ本体に対して１対の取っ手のみをセットにして販売が可能であるから、消費者の購買費用を下げることができる。
また、本発明においては、前記取っ手１５の前記挿入突起１５a、１５bがピボット結合される所が、従来のクリップにおける円筒部の位置とは異なって、前記クリップ本体１０の両面に形成された固定溝１１a、１１bであるから、従来のクリップのような円筒部を構成する必要がなくて、前記クリップ本体１０を最大角度で広げて書類をバインディングする場合、図４に示したように、前記縁部１３a、１３bは、前記本体１０の水平面に対してほとんど突き出されないから、書類の収納及び引き出しの時に従来のようにクリップ本体から高く突出した円筒部によって一緒に収納された他の書類に把持されたクリップ本体または書類にひっかかることを防止することができて、かつ、使用者の指などにひっかかって使用者の肌が傷つく憂いもない。
【００２１】
また、本発明は、従来のクリップのように、左右側の円筒部及び突出部を形成しないから、このような左右側円筒部及び突出部を成形するためのブランキング及びカーリング加工のような工程を行うことなく、製造工程が簡単で生産性を向上することができる。
【００２２】
かつ、本発明は、従来のように円筒部を形成しないから、高価である高炭素鋼から成るクリップ本体１０の全体の長さを従来のクリップ本体に比べておおよそ円筒部に該当する長さだけ減らした状態で生産が可能で、材料費の節減による製造費用の減少も図ることができる。
【図面の簡単な説明】
【００２３】
【図１】本発明に係る事務用クリップを示した斜視図である。
【図２】図１に表示されたＡ−Ａ線に沿った断面図である。
【図３】本発明に係る事務用クリップの他の例を示した側面図である。
【図４】本発明に係る事務用クリップの使用状態図である。
【図５】従来の事務用クリップを示した斜視図である。
【図６】従来の事務用クリップを示した使用状態図である。
【符号の説明】
【００２４】
１、１０、２０:クリップ本体     ３a:左側円筒部
３b:右側円筒部                  ３c:突出部
５、１５:取っ手                ５a、５bと、１５a、１５b:挿入突起
１１a、１１b:固定溝             １２:折曲部
１３a、１３b:縁部
【図１】
2006347157.tif 000003
【図２】
2006347157.tif 000004
【図３】
2006347157.tif 000005
【図４】
2006347157.tif 000006
【図５】
2006347157.tif 000007
【図６】
2006347157.tif 000008